(57)【特許請求の範囲】
【請求項１】
塗布液が収容された収容器内から前記塗布液が流出することを防止するために使用される逆流防止剤であって、
アルキレンオキサイドの炭素数が２又は３であり、且つ、アルキル基の炭素数が１又は２であるポリオキシアルキレンアルキルグルコシドと、
増稠剤と、
を含有することを特徴とする逆流防止剤。
【請求項２】
前記ポリオキシアルキレンアルキルグルコシドが、ポリオキシエチレンメチルグルコシドであることを特徴とする請求項１記載の逆流防止剤。
【請求項３】
前記ポリオキシアルキレンアルキルグルコシドにおける前記アルキレンオキサイドの平均付加モル数が、５〜３０モルであることを特徴とする請求項１又は２記載の逆流防止剤。
【請求項４】
前記ポリオキシアルキレンアルキルグルコシドの含有量が、前記逆流防止剤全量を基準として４５．０〜９９．８質量％であることを特徴とする請求項１〜３のうちのいずれか一項に記載の逆流防止剤。
【請求項５】
塗布液と、
前記塗布液を収容する収容器と、
前記収容器の一端に取り付けられた、前記塗布液の吐出を制御する塗布部と、
前記収容器内における前記塗布液の前記塗布部側とは反対側に、前記塗布液と隣接して収容された請求項１〜４のうちのいずれか一項に記載の逆流防止剤と、
を備えることを特徴とする筆記具。
【請求項６】
前記塗布液が、炭化水素系溶剤を含むものであることを特徴とする請求項５記載の筆記具。
【発明の詳細な説明】
【技術分野】
【０００１】
本発明は、ボールペン、サインペン、マーカー、修正具等の筆記具において、塗布液が収容された収容器内から塗布液が流出することを防止するために使用される逆流防止剤、及び、それを用いた筆記具に関する。
【背景技術】
【０００２】
ボールペンや修正ペン等の筆記具としては、インク等の塗布液が収容器内に収容され、この収容器内からの塗布液の流出（逆流）を防止するために、当該収容器内に塗布液と隣接してグリース等の逆流防止剤が収容された構成を有するものが広く用いられている。
【０００３】
上記の逆流防止剤に求められる機能としては、流動性のある塗布液を自然状態で流動性のない逆流防止剤で蓋をして流出させないこと（流出防止性）、塗布液をドライアップさせないこと（密栓性）、及び、塗布液の消費に伴い塗布液末端に隙間を作らずに追随し、且つ、収容器内の壁面に塗布液が残留しないように掻き落とすこと（追随性）、等が挙げられる。逆流防止剤がこれらの機能を十分に発揮するためには、逆流防止剤が塗布液と混合しないことが必要であるとともに、筆記具の製造の都合上からも、逆流防止剤の粘度及び塗布液との比重差が適正であることが必要である。
【０００４】
ところで、逆流防止剤は、通常、基油と増稠剤とを含んで構成されており、ボールペン等に使用される逆流防止剤としては、鉱油やポリブテン、シリコン油等を基油としたものが一般的である（例えば、特許文献１参照）。
【０００５】
ここで、鉱油やポリブテン、シリコン油は親油性（疎水性）であるため、これらの基油を用いた逆流防止剤は、水のような極性の高い溶剤を用いた塗布液に対しては密栓性を得ることができる。しかし、かかる逆流防止剤は、炭化水素系溶剤のように極性の低い親油性溶剤を用いた塗布液に対しては、経時的に基油と塗布液とが相溶してしまったり、逆流防止剤を通過して溶剤が揮発してしまうため、十分な密栓性が得られないという問題を有している。
【０００６】
そこで、かかる問題を改善するために、グリセリンやポリアルキレングリコールのような、塗布液と相反する親水性物質を基油として用いた逆流防止剤が提案されている（例えば、特許文献２及び３参照）。
【０００７】
【特許文献１】実用新案登録第３０５０６９９号公報
【特許文献２】特開２０００−３４３８７５号公報
【特許文献３】特開２００２−１０３８８４号公報
【発明の開示】
【発明が解決しようとする課題】
【０００８】
上記特許文献２及び３に記載されているような親水性の基油を用いた逆流防止剤によれば、炭化水素系溶剤のような低極性溶剤を用いた塗布液に対しては、基油と塗布液とが相溶することを抑制して密栓性を得ることができる。しかしながら、グリセリンやポリアルキレングリコール等の親水性物質は、空気中の水分を吸収するため、逆流防止剤はその吸湿量の増加に伴って低粘度化してしまい、経時的に塗布液流出防止の機能が低下して塗布液漏れの不具合が生じることとなる。
【０００９】
また、上記特許文献３には、逆流防止剤自身の乾燥及び揮発を防止するために、更に乾燥防止体を設ける構成が示されている。しかし、乾燥防止体を更に設ける場合には、塗布液の後端に逆流防止剤及び乾燥防止体の２種類のグリースを順序よく配置させる必要が生じることとなる。塗布液と逆流防止剤と乾燥防止体とが互いに混ざったり入れ替わったりすることなく、これらを収容器内の所定の位置に配置させるためには、それぞれの比重や粘度等を極めて高い精度で調節しなければならず、また、収容器内に乾燥防止体を充填する工程を増やさなければならない。このような事情から、乾燥防止体を更に設ける必要がなく、単独で良好な特性を有する逆流防止剤の開発が望まれている。
【００１０】
本発明は、上記従来技術の有する課題に鑑みてなされたものであり、炭化水素系溶剤のような低極性溶剤を用いた塗布液に対して十分な密栓性を得ることができるとともに、逆流防止剤自身の揮発を十分に抑制しつつ、優れた耐流動性及び耐吸湿性を有し、十分な流出防止性を長期間維持することが可能な逆流防止剤を提供することを目的とする。
【課題を解決するための手段】
【００１１】
上記目的を達成するために、本発明は、塗布液が収容された収容器内から上記塗布液が流出することを防止するために使用される逆流防止剤であって、アルキレンオキサイドの炭素数が２又は３であり、且つ、アルキル基の炭素数が１又は２であるポリオキシアルキレンアルキルグルコシドと、増稠剤と、を含有することを特徴とする逆流防止剤を提供する。
【００１２】
本発明の逆流防止剤は、上記ポリオキシアルキレンアルキルグルコシドを基油として用いることにより、炭化水素系溶剤のような極性の低い溶剤を使った塗布液に対し、十分な密栓性を発揮することができるとともに、従来のジグリセリン等を基油とした逆流防止剤よりも吸湿しにくく、自然状態での流動性がないため、十分な流出防止性を長時間維持することができる。また、本発明の逆流防止剤によれば、塗布液の消費に伴った十分な追随性を得ることができるとともに、落下等の衝撃で逆流防止剤が流動せず、更に、長期間にわたって筆記具として安定な品質を保つことができる。
【００１３】
また、本発明の逆流防止剤において、上記ポリオキシアルキレンアルキルグルコシドは、ポリオキシエチレンメチルグルコシドであることが好ましい。ポリオキシエチレンメチルグルコシドを基油として用いることにより、逆流防止剤は十分な耐吸湿性を維持したまま、より優れた密栓性を得ることができる。
【００１４】
また、本発明の逆流防止剤において、上記ポリオキシアルキレンアルキルグルコシドにおける上記アルキレンオキサイドの平均付加モル数は、５〜３０モルであることが好ましい。かかるポリオキシアルキレンアルキルグルコシドを基油として用いることにより、逆流防止剤はより十分な密栓性と、より十分な耐吸湿性とを得ることができる。
【００１５】
更に、本発明の逆流防止剤において、上記ポリオキシアルキレンアルキルグルコシドの含有量は、上記逆流防止剤全量を基準として４５．０〜９９．８質量％であることが好ましい。逆流防止剤におけるポリオキシアルキレンアルキルグルコシドの含有量が上記範囲内であることにより、逆流防止剤はより十分な密栓性と、より十分な耐吸湿性及び耐流動性とを得ることができる。
【００１６】
本発明はまた、塗布液と、上記塗布液を収容する収容器と、上記収容器の一端に取り付けられた、上記塗布液の吐出を制御する塗布部と、上記収容器内における上記塗布液の前記塗布部側とは反対側に、上記塗布液と隣接して収容された上記本発明の逆流防止剤と、を備えることを特徴とする筆記具を提供する。本発明の塗布具は、上記塗布液が炭化水素系溶剤を含むものである場合に特に有効である。
【００１７】
本発明の筆記具によれば、上述した本発明の逆流防止剤を備えていることにより、塗布液に炭化水素系溶媒等の低極性溶剤を用いた場合であっても、この塗布液に対する十分な密栓性を得ることができるとともに、逆流防止剤が優れた耐吸湿性及び耐流動性を呈し、塗布液に対する十分な流出防止性を長期間維持することができる。また、本発明の筆記具においては、塗布液に対する逆流防止剤の十分な追随性を得ることができるとともに、落下等の衝撃によって逆流防止剤が流動せず、更に、長期間にわたって筆記具の品質を安定に保つことができる。
【発明の効果】
【００１８】
本発明によれば、炭化水素系溶剤のような低極性溶剤を用いた塗布液に対して十分な密栓性を得ることができるとともに、優れた耐吸湿性を有し、十分な流出防止性を長期間維持することが可能な逆流防止剤、及び、それを用いた筆記具を提供することができる。
【発明を実施するための最良の形態】
【００１９】
以下、場合により図面を参照しつつ、本発明の好適な実施形態について詳細に説明する。なお、図面中、同一又は相当部分には同一符号を付し、重複する説明は省略する。また、上下左右等の位置関係は、特に断らない限り、図面に示す位置関係に基づくものとする。更に、図面の寸法比率は図示の比率に限られるものではない。
【００２０】
（逆流防止剤）
本発明の逆流防止剤は、塗布液が収容された収容器内から上記塗布液が流出することを防止するために使用される逆流防止剤であって、アルキレンオキサイドの炭素数が２又は３であり、且つ、アルキル基の炭素数が１又は２であるポリオキシアルキレンアルキルグルコシドと、増稠剤と、を含有することを特徴とするものである。以下、本発明の逆流防止剤を構成する各成分について説明する。
【００２１】
ポリオキシアルキレンアルキルグルコシドは、基油として用いられるものであり、かかるポリオキシアルキレンアルキルグルコシドとしては、エチレンオキサイド（ＥＯ）及びプロピレンオキサイド（ＰＯ）から選択される１種又は２種のアルキレンオキサイドを、アルキルグルコシドに付加したものを使用することができる。プロピレンオキサイドよりも炭素数の多いアルキレンオキサイドでは、炭素数が増えるほど炭化水素系溶剤との親和性が高くなるため、逆流防止剤の基油に使用した場合に、塗布液中の炭化水素系溶剤を揮発させてしまい、十分な密栓性が得られなくなる。
【００２２】
なお、上記ポリオキシアルキレンアルキルグルコシドは、下記一般式（１）で表わされるものである。
【化１】
0004708939.tif 000002
［式（１）中、Ｘは２又は３を示し、Ｙは１又は２を示し、ａ、ｂ、ｃ及びｄはａ＋ｂ＋ｃ＋ｄが１以上となるように選ばれる０以上の整数を示す。］
【００２３】
ポリオキシアルキレンアルキルグルコシドにおけるアルキレンオキサイドは、エチレンオキサイド又はプロピレンオキサイドであることが必要であり、エチレンオキサイドであることが好ましい。また、これらのアルキレンオキサイドの平均付加モル数は、５〜３０モルであることが好ましく、１０〜２０モルであることがより好ましい。
【００２４】
ポリオキシアルキレンアルキルグルコシドにおけるアルキル基は、メチル基又はエチル基であることが必要であり、メチル基であることが好ましい。
【００２５】
ポリオキシアルキレンアルキルグルコシドとして具体的には、市販品として、ＭＡＣＢＩＯＢＲＩＤＥ  ＭＧ−１０Ｅ、ＭＧ−２０Ｅ、ＭＧ−１０Ｐ、ＭＧ−２０Ｐ（以上、日本油脂（株）製）等が挙げられる。
【００２６】
これらのポリオキシアルキレンアルキルグルコシドの中でも、ポリオキシエチレンメチルグルコシドが特に好ましく、これを基油として用いることにより、逆流防止剤はより十分な密栓性及び耐吸湿性を得ることができる。
【００２７】
本発明の逆流防止剤において、ポリオキシアルキレンアルキルグルコシドは、１種を単独で又は２種以上を組み合わせて使用することができる。
【００２８】
逆流防止剤におけるポリオキシアルキレンアルキルグルコシドの含有量は、逆流防止剤全量を基準として４５．０〜９９．８質量％であることが好ましく、６５．０〜９７，０質量％であることがより好ましく、８５．０〜９５．０質量％であることが特に好ましい。この含有量が４５．０質量％未満であると、含有量が上記範囲内である場合と比較して密栓性が低下する傾向にあり、９５．０質量％を超えると、含有量が上記範囲内である場合と比較して粘度が低くなり、塗布液の流出防止性が低下する傾向にある。
【００２９】
本発明の逆流防止剤は、基油として上述したポリオキシアルキレンアルキルグルコシドを単独で含んでいてもよいが、本発明の効果を阻害しない範囲であれば、ポリオキシアルキレンアルキルグルコシド以外の他の基油を更に含んでいてもよい。他の基油としては、従来の逆流防止剤（グリース）に用いられている公知の基油を特に制限なく使用することができる。このような他の基油としては、ポリブテン、シリコンオイル、鉱油、グリセリン、ジグリセリン、ポリグリセリン、ポリエチレングリコール、ポリプロピレングリコール、フェニルグリコール、アルキレングリコールアルキルエーテル、ポリグリセリン脂肪酸エステル、グリセリンのアルキレンオキサイド付加物、ジグリセリンのアルキレンオキサイド付加物、ポリグリセリンのアルキレンオキサイド付加物等が挙げられる。逆流防止剤における他の基油の含有量は、逆流防止剤全量を基準として３０質量％以下であることが好ましく、１５質量％以下であることがより好ましい。
【００３０】
増稠剤としては、特に制限されないが、例えば、カルシウム石鹸、カルシウム複合石鹸、ナトリウム石鹸、アルミニウム石鹸、アルミニウム複合石鹸、リチウム石鹸、及び、リチウム複合石鹸などの金属石鹸系増稠剤、ウレア化合物、ナトリウムテレフタラメート、及び、ポリテトラフルオロエチレンなどの有機系増稠剤、並びに、有機化ベントナイト、及び、シリカゲルなどの無機系増稠剤等が挙げられる。これらは１種を単独で又は２種以上を組み合わせて使用することができる。
【００３１】
逆流防止剤における増稠剤の含有量は、逆流防止剤全量を基準として０．１〜５０．０質量％であることが好ましく、３．０〜３５．０質量％であることがより好ましく、５．０〜１５．０質量％であることが特に好ましい。この含有量が０．１質量％未満であると、含有量が上記範囲内である場合と比較して粘度が低くなり、塗布液の流出防止性が低下する傾向にあり、５０．０質量％を超えると、含有量が上記範囲内である場合と比較して密栓性が低下する傾向にある。
【００３２】
また、逆流防止剤における増稠剤の種類及び含有量は、逆流防止剤の粘度が、５００００〜２０００００ｍＰａ・ｓとなり、ＪＩＳ  Ｋ２２２０に規定される「ちょう度番号」が、０号、１号、２号又は３号となるように調整することが好ましい。ここで、逆流防止剤の粘度は、ブルックフィールド社製のＥ型粘度計を用い、温度：２０℃、回転数：０．５ｒｐｍの条件で測定することができる。逆流防止剤のちょう度及び粘度が上記範囲であることにより、密栓性、流出防止性及び追随性等の逆流防止剤に要求される機能を高水準で達成することができる。
【００３３】
本発明の逆流防止剤は、上述した基油及び増稠剤以外に、更に構造安定剤、酸化防止剤、表面処理剤、着色剤、界面活性剤、増粘剤等の添加剤を含有していてもよい。
【００３４】
本発明の逆流防止剤は、例えば、基油に増稠剤及び必要に応じて他の添加剤を添加し、必要に応じて加熱して、よく混合した後、室温で３本ロールミルを通過させて調整し、製造することができる。こうして得られる逆流防止剤は、例えば、液状、ゲル状、又は、これらをスポンジ状の多孔体等に含浸させた状態で使用することができる。また、逆流防止剤は、プラスチック材料等からなる固形物とともに収容器内に収容してもよい。
【００３５】
（筆記具）
図１は、本発明の筆記具の一実施形態を示す模式断面図である。図１に示す筆記具１００において、塗布液１２は収容器１４内に収容されており、収容器１４の一端には塗布部２０が取り付けられている。この塗布部２０は、ジョイント２２、ボールホルダー２４及びボール２６で構成され、ジョイント２２により収容器１４に固定されている。また、収容器１４内における、塗布液１２の塗布部２０側と反対側には、塗布液１２と隣接した状態で上述した本発明の逆流防止剤１６が収容されている。ここで、逆流防止剤１６は、塗布液１２との間に隙間が生じないように配置する。
【００３６】
また、筆記具１００においては、収容器１４、塗布部２０、塗布液１２及び逆流防止剤１６により中芯１０が構成されており、この中芯１０が本体軸１８に装着され、更に本体軸１８の後端（塗布部２０と反対側の一端）に通気孔を有する尾栓２８が取り付けられている。
【００３７】
以下、筆記具１００の構成要素について説明するが、本発明の筆記具１００における逆流防止剤１６以外の構成には、ボールペン等の筆記具に用いられる一般的な構成を適用することができる。
【００３８】
塗布液１２としては、水性インク、油性インク、修正液等のインクを用いることができる。ここで、塗布液１２が炭化水素系溶剤等の低極性溶剤を含有する場合において、本発明の逆流防止剤１６を用いることにより、十分な密栓性を得ることができるとともに、逆流防止剤１６は吸湿も少なく、優れた耐流動性を有しているため、十分な流出防止性を長期間維持することができる。また、逆流防止剤１６は、塗布液１２に対する十分な追随性を得ることができるとともに、筆記具１００の落下等の衝撃によって逆流防止剤１６が流動することを抑制することができ、更に、長期間にわたって塗布液１６の状態を安定に保つことができる。
【００３９】
ここで、塗布液１２に使用される炭化水素系溶剤としては、例えば、ｎ−ヘキサン、ｎ−ヘプタン、ｎ−オクタン、イソオクタン、メチルシクロヘキサン、エチルシクロヘキサン、デカン、シクロヘキサン、トルエン、キシレン等が挙げられる。これらの炭化水素系溶剤は、修正液の溶剤として主に使用されるものであり、かかる溶剤を用いた筆記具において、上述した本発明の効果を有効に得ることができる。なお、本発明の逆流防止剤は、炭化水素系溶剤等の低極性溶剤を用いた塗布液に対する逆流防止剤の用途に限定されず、水性塗布液等の逆流防止剤としても使用することができる。その際、逆流防止剤が塗布液中に沈降しないように、逆流防止剤の粘度や、塗布液と逆流防止剤との間の比重差を調整することが重要である。
【００４０】
また、収容器１４は、ボールペンにおけるインクタンクに相当するものであり、ナイロン、ポリアセタール、ポリカーボネート等からなるものを使用することができる。また、収容器１４の形状は特に制限されず、例えば、円筒状等の形状とすることができる。
【００４１】
本体軸１８及び尾栓２８としては、例えば、ポリプロピレン等のプラスチック材料からなるものを使用することができる。
【００４２】
ジョイント２２としては、例えば、ナイロン、ポリアセタール、ポリカーボネート等からなるものを使用することができる。
【００４３】
塗布部２０は、ボールペンにおけるボールペンチップに相当するものであり、ジョイント２２、ボールホルダー２４及びボール２６としては、通常のボールペンに用いられているものを使用することができる。
【００４４】
上述した構成を有する本発明の筆記具１００は、通常のボールペン等の製造方法により製造することができる。すなわち、まず、収容器１４に塗布部２０を取り付けてこれらを一体化した後、収容器１４における塗布部側とは反対側の開口部から塗布液１２を充填し、次いで、逆流防止剤１６を充填することによって中芯１０を作製する。そして、得られた中芯１０を本体軸１８に装着し、更に本体軸１８に尾栓２８を取り付けることによって、筆記具１００を製造することができる。
【００４５】
以上、本発明の筆記具の一実施形態について説明したが、本発明の筆記具は上記のものに限定されるものではない。例えば、本発明の筆記具は、本体軸１８を有していなくてもよく、収容器１４がそのまま本体軸となっていてもよい。また、塗布部２０はボールペンチップに限定されず、例えば、フェルトチップ等であってもよい。更に、本発明の筆記具は、収容器１４中の塗布液１２及び逆流防止剤１６が後端（塗布部２０と反対側の一端）側から加圧された状態となるような加圧機構を有するものであってもよい。
【実施例】
【００４６】
以下、実施例及び比較例に基づいて本発明をより具体的に説明するが、本発明は以下の実施例に限定されるものではない。
【００４７】
［実施例１〜６及び比較例１〜２］
下記表１に示す各材料を、同表に示す配合量（単位：質量部）で配合した。このとき、基油に他の材料を添加するようにした。得られた配合物を十分に混合した後、３本ロールミルを通過させて調整し、実施例１〜６及び比較例１〜２の逆流防止剤（グリース）を得た。
【００４８】
なお、表１中の各材料の詳細は以下の通りである。
ＭＡＣＢＩＯＢＲＩＤＥ  ＭＧ−１０Ｅ：商品名、ポリオキシエチレンメチルグルコシド、ＥＯの平均付加モル数１０、日本油脂（株）製、
ＭＡＣＢＩＯＢＲＩＤＥ  ＭＧ−２０Ｅ：商品名、ポリオキシエチレンメチルグルコシド、ＥＯの平均付加モル数２０、日本油脂（株）製、
ＭＡＣＢＩＯＢＲＩＤＥ  ＭＧ−１０Ｐ：商品名、ポリオキシプロピレンメチルグルコシド、ＰＯの平均付加モル数１０、日本油脂（株）製、
ＭＡＣＢＩＯＢＲＩＤＥ  ＭＧ−２０Ｐ：商品名、ポリオキシプロピレンメチルグルコシド、ＰＯの平均付加モル数２０、日本油脂（株）製、
ポリブテンＬＶ−１００：商品名、ポリブテン、重量平均分子量９７０、日本石油化学（株）製、
アエロジル２００：商品名、シリカゲル、日本アエロジル（株）製、
ユニルーブ：商品名、ポリ（オキシエチレン・オキシプロピレン）ポリオール、日本油脂（株）製。
【００４９】
【表１】
0004708939.tif 000003
【００５０】
［密栓性の評価］
先端にボールペンチップを備えた、ナイロン製の円筒状インクタンク（内径４ｍｍ）に、組成物全量を基準として５０質量％のメチルシクロヘキサンを含有するインク組成物を１．５ｇ充填した。このインクタンク内に、インク組成物と隣接するように実施例１〜６及び比較例１〜２の逆流防止剤を０．２３ｇ充填してインク組成物を密閉し、密栓性評価用のサンプルを作製した。
【００５１】
得られたサンプルを、５０℃の環境下に２週間放置し、初期のサンプルの質量に対する放置後のサンプルの質量の減少量（初期のサンプル全体の質量−放置後のサンプル全体の質量）を求めた。その結果を表２に示した。ここで、減少量は主にインク組成物中の溶剤の揮発量を示しており、この値が小さいほど密栓性に優れることを意味する。また、減少量が３０ｍｇ以下であれば密栓性が良好であると判断することができ、２０ｍｇ以下であれば密栓性が特に良好であると判断することができる。更に、減少量が３０ｍｇ以下であれば、逆流防止剤自身の揮発も十分に抑制されていると判断することができる。
【００５２】
［耐吸湿性の評価］
先端にボールペンチップを備えた、ナイロン製の円筒状インクタンク（内径４ｍｍ）に、実施例１〜６及び比較例１〜２の逆流防止剤を０．２３ｇ充填し、耐吸湿性評価用のサンプルを作製した。
【００５３】
得られたサンプルを、ペン先を上に向けた状態で、２５℃、６０％ＲＨの環境下に１ヶ月間放置し、初期のサンプルと放置後のサンプルとで吸湿による逆流防止剤の流動具合の変化の有無を目視にて確認し、以下の評価基準に従って評価した。その結果を表２に示した。
Ａ：放置前の状態が保たれている（逆流防止剤の後端が真っ直ぐに保たれている）（問題なし）、
Ｂ：流れ出してはいないが、逆流防止剤の後端が傾いたり凹んだりしている（実用上問題なし）、
Ｃ：逆流防止剤が少し流れ出している（実用上問題となる場合がある）、
Ｄ：逆流防止剤がインクタンクの外まで流れ出している（実用上問題となる）。
【００５４】
［追随性の評価］
上記密栓性の評価と同様にして、実施例１〜６及び比較例１〜２の逆流防止剤を用いた密栓性評価用のサンプルを作製した。この密栓性評価用のサンプルを中芯としてボールペン本体軸に装着し、加圧機構を有するボールペンを作製した。
【００５５】
得られたボールペンを用いて、手筆記によりインク組成物がなくなるまで筆記し、逆流防止剤の追随性を評価した。追随性は、逆流防止剤がインク組成物の後端面に追随しているかどうか、レイダウンが低下していないかどうか、及び、インクタンクの内壁にインク組成物が残留することなく逆流防止剤がインク組成物を掻き落としているかどうか、の評価項目について目視にて確認し、以下の評価基準に従って評価した。その結果を表２に示した。
Ａ：逆流防止剤が隙間を作ることなくインクの後端面に追随している（問題なし）、
Ｂ：逆流防止剤がインクタンクの壁面に若干残るが、最後まで隙間を作ることなくインクの後端面に追随している（実用上問題なし）、
Ｃ：逆流防止剤が隙間を作ることなくインクの後端面に追随しているが、インクタンクの壁面にインクの付着残留が見られる（実用上問題となる場合がある）、
Ｄ：逆流防止剤がインクの後端面に追随せず、インクの排出の妨げになっている（実用上問題となる）。
【００５６】
［耐衝撃流動性の評価］
上記追随性の評価と同様にして、実施例１〜６及び比較例１〜２の逆流防止剤を用いたボールペンを作製した。
【００５７】
得られたボールペンを、ペン先を上に向けた状態で１ｍの高さからコンクリート面上に落下させ、落下衝撃による逆流防止剤の流動具合を目視にて確認し、以下の評価基準に従って評価した。その結果を表２に示した。
Ａ：落下前の状態が保たれている（問題なし）、
Ｂ：逆流防止剤の後端面が若干変形するが、流出は生じていない（実用上問題なし）、
Ｃ：逆流防止剤の後端面が変形し、静置すると僅かに流れ出す（実用上問題となる場合がある）、
Ｄ：逆流防止剤が変形・流出し、インクも流出する（実用上問題となる）。
【００５８】
［保存安定性の評価］
上記追随性の評価と同様にして、実施例１〜６及び比較例１〜２の逆流防止剤を用いたボールペンを作製した。
【００５９】
得られたボールペンを、５０℃の環境下に２ヶ月間放置し、インク組成物及び逆流防止剤が変化していないか目視にて確認した後、筆記可能かどうかを確認し、以下の評価基準に従って評価した。その結果を表２に示した。
Ａ：放置前の状態が保たれており、問題なく筆記可能（問題なし）、
Ｂ：インク及び逆流防止剤の体積が若干減少しているが、問題なく筆記可能（実用上問題なし）、
Ｃ：インク及び逆流防止剤の体積がやや減少し、インクと逆流防止剤との界面に分離層・析出等が生じており、また、筆記可能ではあるがインクの排出量がやや減少している（実用上問題となる場合がある）、
Ｄ：逆流防止剤が密栓しておらず、インク及び逆流防止剤の体積が減少してインクが乾いてしまっており、筆記できない（実用上問題となる）。
【００６０】
【表２】
0004708939.tif 000004
【００６１】
表２に示した結果から明らかなように、本発明の逆流防止剤（実施例１〜６）によれば、比較例１〜２の逆流防止剤と比較して、炭化水素系溶剤（メチルシクロヘキサン）を用いた塗布液に対して十分な密栓性を得ることができるとともに、優れた耐吸湿性を呈し、十分な流出防止性を長期間維持することができることが確認された。また、本発明の逆流防止剤（実施例１〜６）によれば、追随性、耐衝撃流動性及び保存安定性の全てを達成することができることが確認された。
【図面の簡単な説明】
【００６２】
【図１】本発明の筆記具の一実施形態を示す模式断面図である。
【符号の説明】
【００６３】
１０…中芯、１２…塗布液、１４…収容器、１６…逆流防止剤、１８…本体軸、２０…塗布部、２２…ジョイント、２４…ボールホルダー、２６…ボール、２８…尾栓、１００…筆記具。
【図１】
0004708939.tif 000005